(57)【要約】      （修正有）【課題】杆体の回動操作を必要とせずに保持材等と組付けられ、立ち上り管の立ち上り角度に確実に一致させることのできる壁面支持具を提供する。【解決手段】杆体３の一端部を嵌挿する接続穴５と該接続穴５に直交して連通する螺子穴７を備え、しかも、建屋壁面ｗに止着する支持基材１と、互いに接続して立ち上り管ｐを抱持する一対の挟持枠８，８´で成り、しかも、一方の挟持枠８に前記杆体３の他の一端部を嵌挿する接続穴１０とこれに直交して連通する螺子穴１１を備えた保持材２および前記螺子穴７，１１に螺合して接続穴５，１０内の前記杆体３に圧接する止着ねじ４で構成する。【選択図】図１
2005220519.tif 000002
【特許請求の範囲】
【請求項１】
杆体の一端部を嵌挿する接続穴と該接続穴に直交して連通する螺子穴を備え、しかも、建屋壁面に止着する支持基材と、互いに接続して立ち上り管を抱持する一対の挟持枠で成り、しかも、一方の挟持枠に前記杆体の他の一端部を嵌挿する接続穴とこれに直交して連通する螺子穴を備えた保持材および前記螺子穴に螺合して接続穴内の前記杆体に圧接する止着ねじとから成る、立ち上り管の壁面支持具。
【発明の詳細な説明】
【技術分野】
【０００１】
本発明は、水道管や下水管等を建屋の壁面に沿って配管する際、壁面周辺の状況から当該壁面から特定の離開幅を存して支持するために用いる立ち上り管の壁面支持具に関するものである。
【背景技術】
【０００２】
建屋壁面に止着する基盤に支持筒を突設し、該支持筒の内腔部に雌螺子を設けた支持基材と、互いに接続して水道管などの立ち上り管を抱持する一対の挟持枠で成り、しかも、一方の挟持枠に突設した支持筒の内腔部に、支持基材側の前記支持筒の内腔部と同様に雌螺子を設けた保持材および各支持筒の内腔部に端部を螺合して前記建屋壁面と前記立ち上り管間離開間隔を保持するねじ杆とから成り、建屋壁面と立ち上り管との離開間隔と一致する長さにしたねじ杆の端部を支持基材側の支持筒と保持材側の支持筒に螺合して両材を接続して離開間隔を保持するようにしたものがある。
【発明の開示】
【発明が解決しようとする課題】
【０００３】
立ち上り管は壁面に沿って垂直に配せられるのが一般であり、そのためには、保持材を構成する一対の挟持枠で成るリング形態によって立ち上り管を抱持するため、該リング形態が水平状態にあることが望ましいのであるが、従来例はねじ杆を支持筒に螺合して支持基材や保持材に組付けるので、この水平状態を得ることがむずかしく、殊に、複数個の支持具を立ち上り管に沿わせて並べて配して当該立ち上り管を支持させるようにして用いるため、各支持具の保持材の配置角度にばらつきが生じ、外観体裁が良好とはいえない。
【０００４】
また、ねじ杆を回動させて支持基材等と組合わせる構成を探るため既設の立ち上り管に対して適用するには該立ち上り管の配置位置を変えない限り、前記の回動操作を行うことが困難であり、従って、前記従来構造のものは、立ち上り管を新設する場合のみしか利用できない、という欠点がある。
【０００５】
本発明は斯様な従来構造の欠点に着目して適用上の不都合さのない、立ち上り管の壁面支持具を提供すべく創案したものである。
【課題を解決するための手段】
【０００６】
杆体の一端部を嵌挿する接続穴と該接続穴に直交して連通する螺子穴を備え、しかも、建屋壁面に止着する支持基材と、互いに接続して立ち上り管を抱持する一対の挟持枠で成り、しかも、一方の挟持枠に前記杆体の他の一端部を嵌挿する接続穴とこれに直交して連通する螺子穴を備えた保持材および前記螺子穴に螺合して接続穴内の前記杆体に圧接する止着ねじで構成したものである。
【発明の効果】
【０００７】
本発明によれば、支持筒に端部を嵌挿して該端部に止着ねじの先端を圧接することにより、杆体を保持材や支持基材と組付け、立ち上り管を支持することができるから、すなわち、杆体を回動操作を必要とせずに保持材等と組付けられるから、保持材の挟持枠で構成するリング形態を立ち上り管の立ち上り角度に確実に一致させて配することができる。
【実施例】
【０００８】
図面は、本発明に係る、立ち上り管の壁面支持具の一実施例を示し、図１は縦断面図、図２は平面図、図３は図２のｘ−ｘ線断面図である。
【０００９】
本発明に係る立ち上り管の壁面支持具は、支持基材１、保持材２、杆体３およびこれらを互いに止着する止着ねじ４を組合わせて構成し、支持基材１は、中央に接続穴５を設けた筒状主体１ａの一端に取付盤１ｂを鍔状に突設して構成し、筒状主体１ａの周側に前記接続穴５に連通する螺子穴７を設けて構成したものである。
【００１０】
保持材２は、円弧状の主体部片８ａ，８´ａの両端に締付け部片８ｂ，８ｂ、８´ｂ，８´ｂを備えた一対の挟持枠８，８´の前記締付け部片８ｂ，８´ｂに互いに一致する螺子穴９，９´を設け、一方の挟持枠８の前記主体部片８ａの中央に接続部片８ｃを突設し、該接続部片８ｃの先端面に接続穴１０を設け、この接続穴１０に連通する螺子穴１１を前記接続部片８ｃの周側に設けて構成したものである。
【００１１】
しかして、取付盤１ｂに設けた取付け穴１２に固定釘１３を貫通させて、これを建屋の壁面ｗ内に嵌入させて壁面ｗに支持基材１を固着し、一端側に一方の挟持枠８を接続した杆体３の他の一端を該支持基材１に備えた接続穴５に嵌挿して螺子穴７に螺合した止着ねじ４の先端を、該杆体３の、接続穴５内に嵌挿した他の一端部周側に圧接することによって接続して前記壁面ｗに杆体３を介して一方の挟持枠８を突設する。
【００１２】
なお、一方の挟持枠８と杆体３の一端との接続は、杆体３の他の一端と支持基材１との接続と同様で、該一端を挟持枠８に備えた接続穴１０に嵌挿して螺子穴１１に螺合した止着ねじ４の先端を、接続穴１０に嵌挿した前記一端部周側に圧接することによってその作業を行うことができる。
【００１３】
そして、挟持枠８の主体部片８ａに立ち上り管ｐを係合し、他の挟持枠８´を該立ち上り管ｐを介して挟持枠８に重ね合わせ、螺子穴９，９´に締付けねじ１４を螺合締付けることによって前記立ち上り管ｐの壁面支持状態を得ることができる。
【００１４】
なお、杆体３と支持基材１や保持枠２との組合わせ順或いはこれらと立ち上り管ｐや壁面ｗとの組付け順は、例えば、立ち上り管ｐ側に保持材２を組付けて、該保持材２と壁面ｗ側に止着した支持基材１を杆体３によって接続する（止着ねじ４による前記止着作業を含んだ）等自在に選択すれば良い。
【００１５】
従って、実施例の接続穴５は支持基材１を貫通するようにして設けてあるが、この貫通状態を利用して杆体３に支持基材１を該杆体３に沿って移動自在に組付けておき、杆体３の一端側を止着ねじ４で止着して既設の立ち上り管ｐに回動可能に組合わせた保持材２を回動させて、杆体３の他の一端を壁面ｗ位置に配し、支持基材１を杆体３に沿って移動させて壁面ｗと重ね合わせて固定釘１３で壁面ｗに固定するというような操作すなわち杆体３に支持基材１を該杆体３に沿って移動可能に組付け、該杆体３の一端を接続した保持材２を既設の立ち上り管ｐに回動位置決め可能に組付けておくことにより既設の立ち上り管ｐに対する支持状態を得ることができる。保持材２側の接続穴１０を接続穴５と同様に貫通状態に形成しても不都合はなく、そうすることによって既設の立ち上り管ｐに対する組付け作業時の各部材の組合わせ順の選択肢を増加させることができる。
【図面の簡単な説明】
【００１６】
【図１】縦断面図。
【図２】平面図。
【図３】図２のｘ−ｘ線断面図。
【符号の説明】
【００１７】
１      支持基材
３      杆体
５      接続穴
７      螺子穴
８      挟持枠
８´    挟持枠
１０    接続穴
１１    螺子穴
ｐ      立ち上り管
ｗ      壁面
【図１】
2005220519.tif 000003
【図２】
2005220519.tif 000004
【図３】
2005220519.tif 000005